(57)【特許請求の範囲】
【請求項１】
動作と休止とを繰り返す間欠動作がされ、動作時において、外部の音声を集音して声成分を検出し、前記声成分の情報である声成分情報を出力する音声検出部と、
前記音声検出部に対して間欠動作信号を送信することにより、前記音声検出部に対して、第１所定時間毎に、動作と休止とを交互に繰り返す間欠動作であって、前記動作の時間が前記休止の時間より短い前記間欠動作をさせる間欠動作制御部と、
前記音声検出部から出力された複数の前記声成分情報に基づいて、会話の有無を判定する判定部と、を有する、
ことを特徴とする会話検出装置。
【請求項２】
前記動作の時間は、前記第１所定時間の１０分の１の時間であり、前記休止の時間は、前記第１所定時間の１０分の９の時間である、ことを特徴とする請求項１に記載の会話検出装置。
【請求項３】
前記声成分情報は、集音された音声中に前記声成分が検出されたか否かを示す情報であり、第１所定時間毎に、前記音声検出部から出力される、ことを特徴とする請求項２に記載の会話検出装置。
【請求項４】
前記判定部は、フレーム判定部を含んで構成され、
前記フレーム判定部は、前記第１所定時間よりも長い第２所定時間における複数の前記声成分情報からフレームを生成し、前記フレームに基づいて、会話の有無を判定する、ことを特徴とする請求項３に記載の会話検出装置。
【請求項５】
前記フレーム判定部は、前記フレームに含まれる、前記声成分が検出されたことを示す前記声成分情報の個数が、第１所定閾値以上であるとき、前記フレームは会話有りと判定する、ことを特徴とする請求項４に記載の会話検出装置。
【請求項６】
前記フレーム判定部は、前記声成分が検出されたことを示す前記声成分情報が前記フレームの先頭に配置されるように、前記フレームを生成する、ことを特徴とする請求項５に記載の会話検出装置。
【請求項７】
前記判定部は、会話判定部を含んで構成され、
前記会話判定部は、前記第２所定時間よりも長い第３所定時間内における、複数の前記フレームに基づいて、会話の有無を判定する、
ことを特徴とする請求項６に記載の会話検出装置。
【請求項８】
前記会話判定部は、前記第３所定時間内における、前記フレーム判定部により、会話有りと判定された前記フレームの個数が、第２所定閾値以上であるとき、会話有りと判定する、ことを特徴とする請求項７に記載の会話検出装置。
【請求項９】
前記音声検出部は、外部の音を集音するマイクロホンと、前記マイクロホンにより集音された音から前記声成分を検出する信号処理部とを有する、ことを特徴とする請求項１に記載の会話検出装置。
【請求項１０】
前記信号処理部は、所定時間毎に前記声成分を検出し、前記声成分が検出された回数をカウント可能であり、
前記声成分情報は、前記声成分が検出された回数が記録され、
前記声成分情報が、１以上であるとき、前記声成分が検出されたことを示し、
前記声成分情報が、０であるとき、前記声成分が検出されなかったことを示す、
ことを特徴とする請求項９に記載の会話検出装置。
【請求項１１】
時計部を有し、前記判定部による判定結果に時刻情報を付加可能である、ことを特徴とする請求項１に記載の会話検出装置。
【請求項１２】
会話行動を検出する対象者の人体に装着する装着部を有する、ことを特徴とする請求項１に記載の会話検出装置。
【請求項１３】
前記装着部は、リストバンドであり、会話行動を検出する前記対象者の腕に装着可能である、ことを特徴とする請求項１２に記載の会話検出装置。
【請求項１４】
間欠動作制御部により、音声検出部に対して間欠動作信号を送信し、前記音声検出部に対して、第１所定時間毎に、動作と休止とを交互に繰り返す間欠動作であって、前記動作の時間が前記休止の時間より短い前記間欠動作をさせ、
前記音声検出部の動作時に、外部の音声を集音して声成分を検出し、声成分情報を出力し、
前記音声検出部から出力された複数の前記声成分情報に基づいて、会話の有無を判定する、
ことを特徴とする会話検出方法。
【発明の詳細な説明】
【技術分野】
【０００１】
本発明の実施形態は、会話検出装置及び会話検出方法に関する。
【背景技術】
【０００２】
従来、ユーザの腕に装着され、音声センサにより音声を検出可能である腕輪型センサデバイスがある。
【０００３】
従来の腕輪型センサデバイスは、例えば、会合等の場において、検出された音声データから、会話がどの程度活発に行われているか、又は、参加者が均等に会話しているか等の特徴量を算出することに使用される。
【０００４】
しかし、従来の腕輪型センサデバイスは、電力の消費量が大きいという問題がある。
【先行技術文献】
【特許文献】
【０００５】
【特許文献１】特開２０１２−２７５８９号公報
【発明の概要】
【発明が解決しようとする課題】
【０００６】
そこで、実施形態は、会話量の検出が可能であり、電力の消費を抑え、会話量の検出精度の良い会話検出装置及び会話検出方法の提供を目的とする。
【課題を解決するための手段】
【０００７】
実施形態の会話検出装置は、動作と休止とを繰り返す間欠動作がされ、動作時において、外部の音声を集音して声成分を検出し、前記声成分の情報である声成分情報を出力する音声検出部と、前記音声検出部に対して間欠動作信号を送信することにより、前記音声検出部に対して、第１所定時間毎に、動作と休止とを交互に繰り返す間欠動作であって、前記動作の時間が前記休止の時間より短い前記間欠動作をさせる間欠動作制御部と、前記音声検出部から出力された複数の前記声成分情報に基づいて、会話の有無を判定する判定部と、を有する。
【０００８】
実施形態の会話検出方法は、間欠動作制御部により、音声検出部に対して間欠動作信号を送信し、前記音声検出部に対して、第１所定時間毎に、動作と休止とを交互に繰り返す間欠動作であって、前記動作の時間が前記休止の時間より短い前記間欠動作をさせ、前記音声検出部の動作時に、外部の音声を集音して声成分を検出し、声成分情報を出力し、前記音声検出部から出力された複数の前記声成分情報に基づいて、会話の有無を判定する。
【図面の簡単な説明】
【０００９】
【図１】実施形態に関わる、会話検出装置を腕に装着した状態の説明図である。
【図２】実施形態に関わる、会話検出装置と、携帯情報端末との無線通信の構成を説明する説明図である。
【図３】実施形態に関わる、会話検出装置の構成を示すブロック図である。
【図４】実施形態に関わる、会話検出装置の間欠動作を説明するタイムチャートである。
【図５】実施形態に関わる、会話検出装置のＤＳＰの処理の流れを示すフローチャートである。
【図６】実施形態に関わる、会話検出装置のフレーム判定部と会話判定部の処理の流れを示すフローチャートである。
【図７】実施形態に関わる、会話検出装置のＶＡＤ情報と、フレームと、会話判定結果とを説明する説明図である。
【発明を実施するための形態】
【００１０】
（実施形態）
以下、図面を参照して実施形態を説明する。
【００１１】
（構成）
図１は、実施形態に関わる、会話検出装置１を腕Ｈに装着した状態の説明図である。図２は、実施形態に関わる、会話検出装置１と、携帯情報端末Ｍとの無線通信の構成を説明する説明図である。
【００１２】
図１と図２に示すように、会話検出装置１は、本体部１１と、装着部１０１とを有して構成される。会話検出装置１は、ユーザの腕Ｈに装着される。本体部１１は、表面に、集音口２３と、表示部３１と、表示部３１に重畳配置されたタッチパネル３２とを有して構成される。本体部１１は、側面に操作部４１を有して構成される。本体部１１は後述する無線通信部５１を有し、スマートフォン等の携帯情報端末Ｍと、無線通信可能である。
【００１３】
図３は、実施形態に関わる、会話検出装置１の本体部１１の主要部の構成を示すブロック図である。
【００１４】
図３に示すように、本体部１１は、音声検出部２１と、時計部６１と、メモリ７１と、無線通信部５１と、制御部８１と、表示部３１と、タッチパネル３２と、操作部４１とを有して構成される。
【００１５】
音声検出部２１は、外部の音を集音するマイクロホン２２と、マイクロホン２２により集音された音から声成分を検出する信号処理部であるデジタルシグナルプロセッサ（以下「ＤＳＰ２４」という）と、を有して構成される。
【００１６】
マイクロホン２２は、本体部１１の表面の集音口２３から外部の音声を集音し、集音された音声を音声信号に変換可能である。
【００１７】
マイクロホン２２は、ＤＳＰ２４に接続される。マイクロホン２２は、音声信号をＤＳＰ２４に出力する。
【００１８】
信号処理部であるＤＳＰ２４は、マイクロホン２２から入力される音声信号に対し、所定時間Ｔ１毎に、発話活動検出（Ｖｏｉｃｅ  Ａｃｔｉｖｉｔｙ  Ｄｅｔｅｃｔｉｏｎ；ＶＡＤ）技術を適用した処理により、声成分を検出し、声成分の検出回数をカウントし、声成分情報であるＶＡＤ情報として出力する回路である。
【００１９】
ＶＡＤ情報は、所定時間Ｔ１毎に、音声検出部２１から出力される。ＶＡＤ情報は、マイクロホン２２により集音された音声中に、声成分が検出されたか否かを示す情報である。
【００２０】
ＶＡＤ情報は、所定時間Ｔ１において、声成分が検出された回数が、記録される。ＶＡＤ情報が、１以上であるとき、声成分が検出されたことを示す。一方、ＶＡＤ情報が、０であるとき、声成分が検出されなかったことを示す。
【００２１】
ＶＡＤ技術による声成分の検出は、例えば、音声信号の周波数と振幅スペクトル等により特徴量を算出し、算出された特徴量を判別することにより行われる。
【００２２】
第１所定時間である所定時間Ｔ１は、会話量検出の精度が落ちることがないように、短い発声についても検出できる時間に設定される。所定時間Ｔ１は、例えば、０．５秒から数秒の範囲に含まれる時間である。
【００２３】
ＤＳＰ２４は、後述する制御部８１に電気的に接続され、ＶＡＤ情報を制御部８１に送信可能である。
【００２４】
図４は、実施形態に関わる、会話検出装置１の間欠動作を説明するタイムチャートである。
【００２５】
図４に示すように、音声検出部２１は、所定時間Ｔ１毎に、動作と休止とを交互に繰り返す間欠動作がされ、動作時において、外部の音声を集音して声成分を検出し、検出された声成分の情報であるＶＡＤ情報（声成分情報）を出力する。すなわち、音声検出部２１は、後述する間欠動作制御部８５から所定時間Ｔ１毎に間欠動作信号を受信し、所定時間Ｔａだけ動作し、所定時間Ｔａが経過した後は、休止する。音声検出部２１は、間欠動作制御部８５の前回の間欠動作信号の受信から所定時間Ｔ１を経過した後、すなわち、休止してから所定時間Ｔｓを経過した後、間欠動作制御部８５から再度間欠動作信号を受信することにより動作する。これにより、音声検出部２１は、所定時間Ｔ１毎に、所定時間Ｔａだけ動作し、所定時間Ｔｓだけ休止する間欠動作を繰り返す。
【００２６】
時計部６１は、時刻情報を生成可能であり、制御部８１に対し、時刻情報を送信可能である。制御部８１は、判定部８６による判定結果に、時計部６１により生成された時刻情報を付加可能である。
【００２７】
メモリ７１は、書き換え可能である不揮発性メモリ７１により構成される。メモリ７１は、各種情報を記憶可能である。
【００２８】
無線通信部５１は、スマートフォン等の携帯情報端末Ｍとのデータ通信を行うための回路であり、近距離無線通信のための回路である。
【００２９】
制御部８１は、中央処理装置（以下「ＭＰＵ」という）８２と、ＲＡＭ８３と、ＲＯＭ８４とを有して構成される。ＭＰＵ８２は、会話検出に関する各種プログラムに従い処理を実行可能である。ＲＯＭ８４には、各種処理プログラムの他、間欠動作制御部８５と、判定部８６との各プログラムが記憶される。
【００３０】
制御部８１は、処理部の機能として、間欠動作制御部８５と、判定部８６とを有する。
【００３１】
間欠動作制御部８５は、音声検出部２１に対して間欠動作信号を送信することにより、所定時間Ｔ１毎に、音声検出部２１を間欠動作させる処理部である。
【００３２】
判定部８６は、音声検出部２１から出力された複数のＶＡＤ情報に基づいて、会話の有無を判定する処理部である。判定部８６は、フレーム判定部と、会話判定部とを含んで構成される。
【００３３】
フレーム判定部は、所定時間Ｔ１毎に出力される複数のＶＡＤ情報から所定時間Ｔ２毎にフレームを生成し、フレームに基づいて、会話の有無を判定する処理部である。図４は、所定時間Ｔ１ｂと、Ｔ１ｃと、Ｔ１ｄとのＶＡＤ情報から、所定時間Ｔ２ａのフレームを生成した例である。所定時間Ｔ２は、所定時間Ｔ１よりも長い時間である。
【００３４】
会話判定部は、所定時間Ｔ３毎に、後述する複数のＶＡＤ検出有りフレームに基づいて、会話の有無を判定する処理部である。所定時間Ｔ３は、所定時間Ｔ１又は所定時間Ｔ２よりも長い時間である。
【００３５】
表示部３１は、本体部１１の表面に設けられる。表示部３１は、制御部８１に接続され、制御部８１からの制御信号により、各種情報を表示可能である。
【００３６】
タッチパネル３２は、表示部３１の表示面に一体的に密着して積層配置される。タッチパネル３２は、タッチ操作やスワイプ操作（タッチパネル３２に指をタッチして指を滑らせる操作）による指示入力が可能である。タッチパネル３２は、制御部８１に接続され、ユーザの指示入力を電気信号として制御部８１に送信可能である。
【００３７】
操作部４１は、本体部１１の側面に設けられ、現在時刻等の各種設定等の各種指示の入力が可能である。なお、図１においては、操作部４１は、本体部１１の側面に設けられているが、実施形態に限定されることなく、操作部４１は、本体部１１の表面に設けられても構わない。
【００３８】
装着部１０１は、本体部１１の長手方向両端部に取り付けられる２本のリストバンド１１１、１１２を有して構成される。２本のリストバンド１１１、１１２は、それぞれ細長帯状に形成され、先端に留め具１２１、１２２を有して構成される。ユーザは、本体部１１を腕Ｈの外側（手の甲側）に配置し、２本のリストバンド１１１、１１２をそれぞれ手の内側（手のひら側）に回し、留め具１２１、１２２を留め、会話検出装置１を腕Ｈに装着可能である。
【００３９】
（作用）
次に、実施形態に係る会話検出装置１の作用について説明をする。
【００４０】
図５は、実施形態に関わる、会話検出装置１のＤＳＰ２４の処理の流れを示すフローチャートである。
【００４１】
ユーザは、腕Ｈに会話検出装置１を装着する。
【００４２】
ＭＰＵ８２は、ＲＯＭ８４から各種プログラムを読み込み、ＲＡＭ８３に展開し、プログラムの処理を実行する。なお、ユーザは、会話検出装置１に対し、操作部４１により会話量検出開始の指示を与えることができる
制御部８１は、間欠動作制御部８５の処理を実行し、所定時間Ｔ１毎に、音声検出部２１であるマイクロホン２２とＤＳＰ２４を動作させるための間欠動作信号を、マイクロホン２２と、ＤＳＰ２４とに対し、送信する。間欠動作制御部８５は、ＭＰＵ８２が実行する処理部として構成される。
【００４３】
マイクロホン２２は、間欠動作制御部８５から間欠動作信号を受信すると、所定時間Ｔａだけ動作し、集音された外部の音声を音声信号に変換し、デジタル信号として、ＤＳＰ２４に出力する。すなわち、所定時間Ｔａの間だけマイクロホン２２に電力が供給され、マイクロホン２２は動作する。所定時間Ｔａ経過後、マイクロホン２２は、間欠動作制御部８５から次回の間欠動作信号が受信されるまで、すなわち、所定時間Ｔｓだけ、休止する。
【００４４】
次に、ＤＳＰ２４の処理について説明する。
【００４５】
ＤＳＰ２４は、間欠動作制御部８５から間欠動作信号が受信されると、所定時間Ｔａだけ動作する。
【００４６】
ＤＳＰ２４は、マイクロホン２２から音声信号を取得する（ステップ（以下「Ｓ」と略す）１）。
【００４７】
ＤＳＰ２４は、音声信号に声成分が含まれているか否かを判定する（Ｓ２）。Ｓ２では、ＤＳＰ２４は、ＶＡＤ技術を適用した処理により、声成分を検出する。
【００４８】
音声信号に声成分が含まれているとき（Ｓ２：ＹＥＳ）は、ＤＳＰ２４は、ＶＡＤ情報の値を１だけ加算し、処理はＳ３に進む（Ｓ２Ｙ）。一方、音声信号に声成分が含まれていないときは、ＶＡＤ情報の値は加算されないまま（Ｓ２：ＮＯ）、処理はＳ３に進む。
【００４９】
ＤＳＰ２４は、所定時間Ｔａを経過しているか否かを判定し、所定時間Ｔａを経過していないとき（Ｓ３：ＮＯ）、処理はＳ１に戻る。一方、所定時間Ｔａを経過しているとき、処理はＳ４に進む。
【００５０】
ＤＳＰ２４は、ＶＡＤ情報を制御部８１に出力する（Ｓ４）。
【００５１】
ＤＳＰ２４は、間欠動作制御部８５から送信される次回の間欠動作信号を受信するまで、すなわち、所定時間Ｔｓだけ休止状態に入る（Ｓ５）。
【００５２】
Ｓ１からＳ５の処理がＤＳＰ２４の処理を構成する。
【００５３】
音声検出部２１であるマイクロホン２２とＤＳＰ２４とは、所定時間Ｔ１毎に間欠動作を繰り返し、所定時間Ｔａだけ動作して音声信号の声成分を検出し、その後、所定時間Ｔｓだけ休止する。音声検出部２１は、休止することにより、電力の消費量が抑えられる。
【００５４】
所定時間Ｔｓは、所定時間Ｔ１内において、電力の消費量を抑える効果が高くなるように設定される。所定時間Ｔｓは、例えば、所定時間Ｔ１の１０分の９の時間である。また、所定時間Ｔａは、例えば、所定時間Ｔ１の１０分の１の時間である。
【００５５】
図６は、実施形態に関わる、会話検出装置１のフレーム判定部と会話判定部の処理の流れを示すフローチャートである。図７は、実施形態に関わる、会話検出装置のＶＡＤ情報と、フレームと、会話判定結果とを説明する説明図である。
【００５６】
制御部８１は、フレーム判定部の処理を行う。フレーム判定部の処理は、ＭＰＵ８２が実行する処理部として構成される。
【００５７】
制御部８１は、ＤＳＰ２４から出力されたＶＡＤ情報を１個だけ読み込む（Ｓ１１）。
【００５８】
制御部８１は、ＶＡＤ情報の値が１以上であるか否かを判定する（Ｓ１２）。Ｓ１２では、ＶＡＤ情報の値が０であるとき、次のＶＡＤ情報を読み込むため、処理をＳ１１に戻す。一方、ＶＡＤ情報の値が１以上であるとき、ＶＡＤ情報の値に「１」をセットし、処理はＳ１３に進む。以下、「１」がセットされたＶＡＤ情報を「有効ＶＡＤ情報」と称して説明をする。
【００５９】
図７においては、例えば、Ｖ４、Ｖ５、Ｖ１２，Ｖ１３、Ｖ１４及びＶ１８の値が０であり、処理はＳ１１に戻る。
【００６０】
制御部８１は、所定数（Ｎ−１）個のＶＡＤ情報を追加で読み込み、所定数Ｎ個のＶＡＤ情報からフレームを生成する（Ｓ１３）。すなわち、フレームは、所定時間Ｔ２における、所定数Ｎ個のＶＡＤ情報により構成される。所定時間Ｔ２は、所定時間Ｔ１×所定数Ｎにより算出される時間である。
【００６１】
これにより、有効ＶＡＤ情報（すなわち、声成分が検出されたことを示す声成分情報）をフレームの先頭に配置するフレームが生成される。各フレームの先頭が有効ＶＡＤ情報で統一されることにより、後述するＳ１４における判定の精度を高めることができる。
【００６２】
第２所定時間である所定時間Ｔ２は、会話ではない短い発声又は雑音を除外できる長さに設定される。所定時間Ｔ２は、例えば、１秒から１０秒の範囲に含まれる時間である。
【００６３】
図７においては、例えば、Ｖ１、Ｖ２及びＶ３からフレームＦ１が生成され、Ｖ６、Ｖ７及びＶ８からフレームＦ２が生成され、Ｖ９、Ｖ１０及びＶ１１からフレームＦ３が生成され、Ｖ１５、Ｖ１６及びＶ１７からフレームＦ４が生成され、Ｖ１９、Ｖ２０及びＶ２１からフレームＦ５が生成される。
【００６４】
制御部８１は、フレーム毎に、フレームに含まれる有効ＶＡＤ情報の個数が、閾値Ｓ１以上であるか否かを判定する（Ｓ１４）。有効ＶＡＤ情報の個数が、閾値Ｓ１以上であるとき（Ｓ１４：ＹＥＳ）には、当該フレームは、会話有りのフレームであるＶＡＤ検出有りフレームであると判定し、ＶＡＤ検出有りフレームの個数情報を１加算し（Ｓ１４Ｙ）、処理はＳ１４に進む。一方、有効ＶＡＤ情報の個数が閾値Ｓ１未満であるとき（Ｓ１４：ＮＯ）には、ＶＡＤ検出有りフレームの個数情報は加算せずに、処理はＳ１５に進む。
【００６５】
第１所定閾値である閾値Ｓ１は、例えば、フレームを構成するＶＡＤ情報の個数の半分に設定される。
【００６６】
図７においては、例えば、閾値Ｓ１が２であるとき、フレームＦ２における有効ＶＡＤ情報の個数は、Ｖ６とＶ７の２個であり、閾値Ｓ１以上である。また、フレームＦ４における有効ＶＡＤ情報の個数は、Ｖ１５とＶ１６とＶ１７の３個であり、閾値Ｓ１以上である。また、フレームＦ５における有効ＶＡＤ情報の個数は、Ｖ１９とＶ２０の２個であり、閾値Ｓ１以上である。よって、フレームＦ２，Ｆ４及びＦ５は、ＶＡＤ検出有りフレームと判定される。一方、フレームＦ１とフレームＦ３は、有効ＶＡＤ情報の個数が閾値Ｓ１未満であり、ＶＡＤ検出有りフレームではない。したがって、ここでは、ＶＡＤ検出有りフレームの個数情報は３である。
【００６７】
制御部８１は、所定時間Ｔ３が経過したか判定し（Ｓ１５）、所定時間Ｔ３が経過していないときには、処理はＳ１１に戻る（Ｓ１５：ＮＯ）。一方、所定時間Ｔ３が経過しているときには、処理はＳ１６に進む（Ｓ１５：ＹＥＳ）。
【００６８】
第３所定時間である所定時間Ｔ３は、会話判定をする際の基準となる時間として予め設定される。所定時間Ｔ３は、例えば、１分から数分の範囲に含まれる時間である。
【００６９】
制御部８１は、所定時間Ｔ３におけるＶＡＤ検出有りフレームの個数情報に、時刻情報を付加し、メモリ７１に記憶する（Ｓ１６）。
【００７０】
上述のＳ１１からＳ１６の処理が、フレーム判定部の処理を構成する。
【００７１】
フレーム判定部の処理（Ｓ１１〜Ｓ１６）においては、制御部８１は、所定時間Ｔ１よりも長い所定時間Ｔ２のフレームに対して判定をするため、会話がより適正に検出され、また、会話ではない短い発声又は雑音等を除外することができる。
【００７２】
続いて、制御部８１は、会話判定部の処理を行う。会話判定部の処理は、ＭＰＵ８２が実行する処理部として構成される。
【００７３】
制御部８１は、所定時間Ｔ３における、フレーム判定部により会話有りと判定されたＶＡＤ検出有りフレームの個数情報の値が、閾値Ｓ２以上であるか否かを判定する（Ｓ１７）。ＶＡＤ検出有りフレームの個数情報の値が、閾値Ｓ２以上であるとき（Ｓ１７：ＹＥＳ）、会話有りであると判定し（Ｓ１７Ｙ）、会話であることが検出される。一方、ＶＡＤ検出有りフレームの個数情報の値が、閾値Ｓ２未満であるとき（Ｓ１７：ＮＯ）、会話無しであると判定する（Ｓ１７Ｎ）。
【００７４】
第２所定閾値である閾値Ｓ２は、会話ではない短い発声を除外することに適した数に設定される。
【００７５】
図７においては、例えば、ＶＡＤ検出有りフレームの個数情報は３である。閾値Ｓ２が１であるとき、制御部８１は、会話判定部において、会話ありであると判定する。
【００７６】
制御部８１は、会話判定部の判定結果に時刻情報を付加し、メモリ７１に記憶する（Ｓ１８）。
【００７７】
上述のＳ１７〜Ｓ１８の処理が、会話判定部の処理を構成する。
【００７８】
会話判定部の処理（Ｓ１７〜Ｓ１８）においては、制御部８１は、所定時間Ｔ２よりも長い所定時間Ｔ３において判定をするため、会話検出の精度が高められる。
【００７９】
ユーザが、会話検出装置１に対し、会話の検出結果の表示指示を与えると、制御部８１は、会話の検出結果から集計された検出項目を、１行ずつ又はリスト形式により、表示部３１に表示させる。集計による検出項目は、例えば、１日の会話の時間等である。
【００８０】
上述の実施形態によれば、会話量の検出が可能であり、電力の消費を抑え、会話量の検出精度の良い会話検出装置の提供をすることができる。
【００８１】
なお、上述の実施形態は、会話判定部は、制御部８１がプログラムを実行することにより実現される処理であるが、無線通信部５１を介し、携帯情報端末Ｍにプログラムを実行させてもよい。この構成によれば、会話検出装置１の処理負荷が軽減される。
【００８２】
なお、上述の実施形態は、集計された検出項目を表示部３１に表示させるものであるが、無線通信部５１により、携帯情報端末Ｍに無線接続するときには、メモリ７１に記憶されたデータを、携帯情報端末Ｍに送信し、携帯情報端末Ｍにより検出項目を集計し、携帯情報端末Ｍの表示部Ｍａに表示させてもよい。この構成によれば、携帯情報端末Ｍにより、より自由度の高い検出項目の集計処理が可能である。
【００８３】
なお、実施形態では、制御部８１の各処理部の機能は、プログラムを実行することにより実現されるが、各処理部の一部又は全部の機能が、回路により実現されても構わない。
【００８４】
本発明の実施形態を説明したが、これらの実施形態は、例として示したものであり、本発明の範囲を限定することは意図していない。これら新規の実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００８５】
１     会話検出装置
１１   本体部
２１   音声検出部
２２   マイクロホン
２３   集音口
３１   表示部
３２   タッチパネル
４１   操作部
５１   無線通信部
６１   時計部
７１   メモリ
８１   制御部
８２   ＭＰＵ
８３   ＲＡＭ
８４   ＲＯＭ
８５   間欠動作制御部
８６   判定部
１０１ 装着部
１１１、１１２       リストバンド
１２１、１２２       留め具
Ｆ１   フレーム
Ｆ２   フレーム
Ｆ３   フレーム
Ｆ４   フレーム
Ｆ５   フレーム
Ｈ     腕
Ｍ     携帯情報端末
Ｍａ   表示部
Ｎ     所定数
Ｓ１   閾値
Ｓ２   閾値
Ｔａ   所定時間
Ｔｓ   所定時間
Ｔ１   所定時間
Ｔ２   所定時間
Ｔ３   所定時間
【図１】
0006524814.tif 000002
【図２】
0006524814.tif 000003
【図３】
0006524814.tif 000004
【図４】
0006524814.tif 000005
【図５】
0006524814.tif 000006
【図６】
0006524814.tif 000007
【図７】
0006524814.tif 000008